(57)【特許請求の範囲】
【請求項１】
基材上に、
赤外線を吸収する材料で形成した第１の画像情報と、
前記第１の画像情報の上または下に形成される、赤外線による励起光で励起され励起光とはピーク波長が異なる赤外線を発光する蛍光体を含む赤外線蛍光層と、
が設けられ、
前記第１の画像情報が、赤外線を透過し可視光を反射もしくは吸収する層で覆われ、
前記赤外線を透過し可視光を反射もしくは吸収する層、または当該層で覆われていない箇所に、前記第１の画像情報と対応する第２の画像情報が記録されたことを特徴とする印刷物。
【請求項２】
前記赤外線を透過し可視光を反射もしくは吸収する層が、分離可能であることを特徴とする請求項１に記載の印刷物。
【請求項３】
前記赤外線を透過し可視光を反射もしくは吸収する層が、封筒であることを特徴とする請求項２に記載の印刷物。
【請求項４】
くじに用いられることを特徴とする請求項１または請求項２に記載の印刷物。
【請求項５】
前記第１の画像情報の上に前記赤外線蛍光層が形成されることを特徴とする請求項１から請求項４のいずれかに記載の印刷物。
【請求項６】
前記赤外線蛍光層の上に前記第１の画像情報が形成されることを特徴とする請求項１から請求項４のいずれかに記載の印刷物。
【請求項７】
基材上に、赤外線を吸収する材料で形成した第１の画像情報と、前記第１の画像情報の上または下に形成される、赤外線による励起光で励起され励起光とはピーク波長が異なる赤外線を発光する蛍光体を含む赤外線蛍光層と、が設けられ、前記第１の画像情報が、赤外線を透過し可視光を反射もしくは吸収する層で覆われ、前記赤外線を透過し可視光を反射もしくは吸収する層、または当該層で覆われていない箇所に、前記第１の画像情報と対応する第２の画像情報が記録された印刷物に対して、励起光を赤外線照射装置で照射するステップと、
前記赤外線蛍光層から発光された赤外線を、前記励起光のピーク波長をカットするフィルタを介して赤外線撮像装置により受光することで、前記第１の画像情報の読取を行うステップと、
前記第２の画像情報の読取を行うステップと、
前記第１の画像情報と前記第２の画像情報の照合を行うステップと、
を有することを特徴とする検査方法。
【発明の詳細な説明】
【技術分野】
【０００１】
本発明は、赤外線蛍光層を用いた印刷物、および印刷物の検査方法に関する。
【背景技術】
【０００２】
肉眼では見えないバーコード等の画像情報を種々の媒体に付与し、これを読み取る技術として、紫外線で励起されて可視光を発光するインキでバーコード等を印刷し、可視光受光センサを用いてこれを読み取る方法が一般的に用いられている。ただし、この方法では、主に染料系の材料が用いられるために、耐候性が低く長時間効果が持続しないという問題がある。
【０００３】
そこで、赤外線で励起され赤外線を発光する蛍光材料を用いてバーコード等を付与する場合がある。例えば、特許文献１、２には、このような蛍光材料でバーコードを印刷し、読取装置で読み取る方法が開示されている。また、特許文献３には、このような蛍光材料と赤外線を吸収する赤外線吸収インキを重ならないように並設してバーコードを形成し、これを隠蔽層で覆ったものを読取装置で読み取る方法が開示されている。
【０００４】
一方、赤外線を吸収するインキで画像情報を印刷し、この画像情報に重ねて赤外線で励起され赤外線を発光する層を設け、赤外線を透過し可視光を不透過とする隠蔽材で覆う場合もある。この画像情報は肉眼では見えないが、赤外線により読取を行うことが可能である（例えば、特許文献４、５）。
【先行技術文献】
【特許文献】
【０００５】
【特許文献１】特開２００２−２１２５５２号公報
【特許文献２】特開２００２−２４１７５０号公報
【特許文献３】特開平３−２５８５９５号公報
【特許文献４】登録実用新案第３０１３３２８号公報
【特許文献５】特開２００１−９６８８９号公報
【発明の概要】
【発明が解決しようとする課題】
【０００６】
しかしながら、特許文献１〜３の方法は、どれも、赤外線で励起され赤外線を発光する蛍光材料によってバーコード等を形成するものである。バーコード等の情報は、一般的に印刷対象毎にデータを変える可変印刷を行う必要があるが、このような蛍光材料を、可変印刷可能な印刷装置で使用するために適したインキやリボンとすることは困難であり、手間がかかる。
【０００７】
また、このような蛍光材料によりバーコード等の画像情報を印刷した媒体は、封筒などで隠蔽された状態であっても読み取ることが可能である。ただし、この場合、読取装置により受光する赤外線の量が少なく、バーコード等を撮像した画像は全体的に暗いものとなりがちである。また、画像情報を形成する基材は通常散乱を伴って赤外線を反射等させるため、画像情報と画像情報を形成する基材との赤外線量のコントラストが弱まり、赤外線を発光する画像情報の輪郭が曖昧となるので、該画像に対して画像処理を行って認証等する際の精度が低下するという問題もある。
【０００８】
一方、特許文献４、５の方法は、上記の点を改善し、媒体の製造性を高め、読取性を向上させることができる。しかしながら、印刷物の種類によっては、前記の画像情報を用いた種々の検査を行う必要が考えられる。この際、画像情報を用いた検査の利便性をより高める工夫があることが望ましい。
【０００９】
本発明は、前述した問題点に鑑みてなされたもので、画像情報を用いて種々の検査を行うことができ、検査の利便性も高めることができる印刷物等を提供することを目的とする。
【課題を解決するための手段】
【００１０】
前述した目的を達するために第１の発明は、基材上に、赤外線を吸収する材料で形成した第１の画像情報と、前記第１の画像情報の上または下に形成される、赤外線による励起光で励起され励起光とはピーク波長が異なる赤外線を発光する蛍光体を含む赤外線蛍光層と、が設けられ、前記第１の画像情報が、赤外線を透過し可視光を反射もしくは吸収する層で覆われ、前記赤外線を透過し可視光を反射もしくは吸収する層、または当該層で覆われていない箇所に、前記第１の画像情報と対応する第２の画像情報が記録されたことを特徴とする印刷物である。
【００１１】
第１の発明の印刷物に赤外線による励起光を照射すると、赤外線蛍光層の蛍光体は励起光により励起され赤外線を発光する一方、内側の第１の画像情報の部分は赤外線を吸収する。従って、赤外線量の差から、第１の画像情報を容易に読取ることができる。一方、外側の層に記録された第２の画像情報を読取り、前記の第１の画像情報と、第２の画像情報の照合を行うことにより、印刷物について種々の検査を行うことが可能になる。
これらの情報はいずれも印刷物自身が有するものであるので、サーバ等に照合対象の情報を記録しておくなどの必要がなく、検査のための装置構成を簡素にできる。
【００１２】
また、前記赤外線を透過し可視光を反射もしくは吸収する層が、分離可能であることが望ましい。
これにより、必要に応じて、不可視な第１の画像情報を視認可能とすることができ、読取エラー時など、その確認等を容易に行える。
【００１３】
また、前記赤外線を透過し可視光を反射もしくは吸収する層が、封筒であることが望ましい。
これにより、封入物とその送り先が対応しているか等の、封緘物についての照合検査を行えるようになる。
【００１４】
また、第１の発明の印刷物は、くじに用いられることが望ましい。
第１の発明の印刷物を用いることにより、第１の画像情報と第２の画像情報が対応するかを照合しくじの真正性の検査を容易に行うことができる。第１の画像情報は不可視であるので偽造を防ぐことができ、真正性が強く求められるくじに本発明の印刷物を用いることは、特に有効である。
【００１５】
ここで、前記第１の画像情報の上に前記赤外線蛍光層を形成してもよいし、前記赤外線蛍光層の上に前記第１の画像情報を形成してもよい。
【００１６】
第１の画像情報の上に赤外線蛍光層を形成した場合には、予め印刷した第１の画像情報のみを覆うように赤外線蛍光層を形成することが容易で、蛍光材料の消費量を簡単に抑えることができる利点がある。また、第１の画像情報の印刷完了後の媒体上の必要な部分のみに、後から赤外線蛍光層を付与することができる利点もある。
赤外線蛍光層の上に第１の画像情報を形成した場合には、印刷物を読み取った画像データ上で、第１の画像情報のエッジ部分でより高いコントラストが得られる利点がある。
【００１７】
第２の発明は、基材上に、赤外線を吸収する材料で形成した第１の画像情報と、前記第１の画像情報の上または下に形成される、赤外線による励起光で励起され励起光とはピーク波長が異なる赤外線を発光する蛍光体を含む赤外線蛍光層と、が設けられ、前記第１の画像情報が、赤外線を透過し可視光を反射もしくは吸収する層で覆われ、前記赤外線を透過し可視光を反射もしくは吸収する層、または当該層で覆われていない箇所に、前記第１の画像情報と対応する第２の画像情報が記録された印刷物に対して、励起光を赤外線照射装置で照射するステップと、前記赤外線蛍光層から発光された赤外線を、前記励起光のピーク波長をカットするフィルタを介して赤外線撮像装置により受光することで、前記第１の画像情報の読取を行うステップと、前記第２の画像情報の読取を行うステップと、前記第１の画像情報と前記第２の画像情報の照合を行うステップと、を有することを特徴とする検査方法である。
【００１８】
第２の発明の検査方法により、第１の発明の印刷物について、種々の検査を好適に行うことができる。さらに、第１の画像情報の読取は赤外線を受光することにより行うので、非接触で行うことができ印刷物の汚れや傷、読取装置の摩耗等の心配もなく、印刷物全体を撮像することが容易であるので、印刷物の位置ズレ等による読取エラー等も起こらない。
【発明の効果】
【００１９】
本発明により、画像情報を用いて種々の検査を行うことができ、検査の利便性も高めることができる印刷物等を提供することができる。
【図面の簡単な説明】
【００２０】
【図１】封緘物１ａについて示す図
【図２】封緘物１ａの読み取りについて示す図
【図３】画像データ９０について示す図
【図４】封緘物１ｂについて説明する図
【図５】くじ１ｃについて示す図
【図６】くじ１ｄ、１ｅ、１ｆについて示す図
【図７】光ディスク１ｇについて示す図
【図８】切符１ｈについて示す図
【図９】実施例１〜３について説明する図
【図１０】実施例１〜３の読取結果について示す図
【発明を実施するための形態】
【００２１】
以下、本発明の実施形態を図面を参照しながら詳細に説明する。
【００２２】
［第１の実施形態］
（封緘物１ａの構成）
図１は、本発明の第１の実施形態の印刷物である封緘物１ａについて示す図である。図１（ａ）は封緘物１ａの断面構成を示す図である。図１（ｂ）は検査用媒体１１の上面を示す図である。また、図１（ｃ）は、封緘物１ａの上面を示す図である。
【００２３】
図１（ａ）に示すように、封緘物１ａは、各種の封入物２１と検査用媒体１１とを封筒４０に封入して覆い、これらを封緘したものである。
【００２４】
図１（ａ）、（ｂ）に示すように、検査用媒体１１では、基材１０の上に赤外線蛍光層２０が設けられるとともに、この赤外線蛍光層２０の上に画像情報３０（第１の画像情報）が重ねて設けられる。
【００２５】
基材１０は、例えば、印刷用の各種の用紙であるが、その他プラスチックなど、特にその材質等は問わない。
【００２６】
赤外線蛍光層２０は、赤外線を励起光として照射することにより励起され、赤外線を発光する蛍光体を含む蛍光材料を、ベタ印刷することにより形成される。
ベタ印刷は、オフセット印刷、グラビア印刷、フレキソ印刷、スクリーン印刷、パッド印刷等で行ってもよいし、転写シート、ラベル等を用いて赤外線蛍光層２０を基材１０上に形成するようにしてもよい。また、上記の蛍光材料をスプレーで塗布することにより赤外線蛍光層２０を形成してもよい。
【００２７】
画像情報３０は、カーボン等の赤外線を吸収する材料を含むインキによる印刷で形成する。例えば、一般に用いられているカーボンを含んだ黒色のインキによる印刷を行えばよい。その他、カーボン等を含み赤外線を吸収する材料であれば、これを使用して画像情報３０を形成することができる。
また、本実施形態では、例えば、封入物２１を個人ごとの各種の請求書や申込用紙とし、画像情報３０をこれに対応させ、封入物２１の送り先の名称をバーコードで記録したものとする。
【００２８】
封筒４０は紙材で形成され、赤外線を透過し可視光を吸収または反射する層となる。ただし、この限りにおいて、材料は紙に限ることはない。また、この封筒４０は取り外して内部の検査用媒体１１から分離させることが可能である。
さらに、本実施形態では、封筒４０に、画像情報４５（第２の画像情報）として、封緘物１ａの送り先の名称が可視光下で読取可能なＯＣＲ用文字で記録されている。
【００２９】
以上のように形成された画像情報３０と画像情報４５を読み取ることにより、封入物２１と、その送り先が一致するかが検査できる。
ただし、画像情報３０と画像情報４５は、対応する情報でありマッチングによる照合に用いられるものであれば、これに限らない。例えば、ダイレクトメール等で広告等を封入する場合であれば、画像情報３０を広告の対象となる性別や年齢等の属性情報とし、画像情報４５を封緘物１ａの送り先の性別や年齢等の属性情報としてもよい。
【００３０】
また、本実施形態では、画像情報３０をバーコード、画像情報４５をＯＣＲ用文字で記録しているが、画像情報としてはこれに限ることはなく、その他、二次元コード、ＯＣＲ用数字、数字、文字、絵柄、記号等の情報であってもよい。
【００３１】
（封緘物１ａの検査）
次に、封緘物１ａの検査について図２、図３を参照して説明する。
【００３２】
図２（ａ）に示すように、封緘物１ａの検査は、読取装置５０、読取装置６０、およびこれらに接続された情報処理装置７０を用いて行われる。
【００３３】
図に示すように、読取装置５０は、赤外線照射装置５１、赤外線カメラ５５、フィルタ５３等を有する。
【００３４】
赤外線照射装置５１は、例えば発光ダイオード等であり、励起光として赤外線を封緘物１ａの検査用媒体１１に照射するものである。
赤外線カメラ５５は、励起光により励起された赤外線蛍光層２０の蛍光体から発光される赤外線を受光素子で受光し、各受光素子での受光量を画像上の輝度値（画素値）に変換する赤外線撮像装置である。なお、赤外線カメラ５５としては、赤外線領域に感度を有するものであれば特に限定されることはない。
フィルタ５３は、赤外線カメラ５５の受光面に設けられ、赤外線照射装置５１からの赤外線（励起光）をカットし、赤外線蛍光層２０から発光された赤外線のみ受光するためのものである。
【００３５】
上記の励起光としては、例えば、ピーク波長が７５０〜９００ｎｍの赤外線を用い、赤外線蛍光層２０としては、該励起光により励起するとともに、励起により発光する赤外線のピーク波長が９０１〜１１００ｎｍの蛍光材料を用いる。このような材料としては、例えば、ＳＧ−ＹＳ（根本特殊化学社製）などがある。
フィルタ５３としては、例えば、波長９０１ｎｍ以上の赤外線のみを透過するフィルタを用いることにより、赤外線照射装置５１からの励起光をカットし、赤外線蛍光層２０から発光した赤外線のみ赤外線カメラ５５で受光し撮像を行うことができる。
【００３６】
なお、赤外線蛍光層２０としては、上記に限らず、励起光のピーク波長と、励起により発光する赤外線のピーク波長が異なる既知のものを適宜使用すればよい。フィルタ５３も上記に限らず、この励起光のピーク波長をカットし、励起により発光する赤外線のピーク波長を透過する既知のものを適宜使用すればよい。
【００３７】
読取装置６０は、カメラ６１等を有する。
カメラ６１は、可視光領域に感度を有し、可視光下で封緘物１ａの画像情報４５を撮影するものである。
【００３８】
情報処理装置７０は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等よりなる制御部や、記憶部、周辺機器の入出力部等を有し、記憶部に記憶した画像処理ソフトウエアおよび文字・バーコード検査ソフトウエア等を実行することにより、赤外線カメラ５５やカメラ６１から取得した画像データについて、画像処理および検査処理を行うものである。
【００３９】
なお、図２（ａ）の例は、読取装置５０、６０、情報処理装置７０が分離した分離型の例であるが、この読取装置としては、図２（ｂ）の読取装置８０に示すように、これらを筐体中に組み込んだ一体型のものであってもよい。読取装置８０のその他の構成は図２（ａ）と同様であるので、説明は省略する。
【００４０】
封緘物１ａの検査を行う場合には、まず、読取装置５０において、赤外線照射装置５１から励起光を封緘物１ａの検査用媒体１１に照射する。基材１０上の赤外線蛍光層２０は、該励起光を照射されることにより蛍光体が励起され、励起光とは異なるピーク波長の赤外線を発光する。この赤外線を赤外線カメラ５５によりフィルタ５３を介して受光し、撮像を行う。このようにして撮像を行った画像データに対し、情報処理装置７０にて画像処理を行い、画像情報３０を取得する。
【００４１】
封緘物１ａでは、画像情報３０は封筒４０で覆われているので肉眼では不可視であるが、赤外線照射装置５１からの励起光が封筒４０を透過して赤外線蛍光層２０を発光させ、発光した赤外線は封筒４０を透過して赤外線カメラ５５で受光されるので、画像情報３０を読み取ることが可能である。
【００４２】
図３は、赤外線カメラ５５で撮像された画像データ９０の一例である。励起光を照射されることにより、赤外線蛍光層２０（上部に画像情報３０が形成された部分を除く）は赤外線を発光するので、画像データ９０上で高輝度の部分として現れる。一方、画像情報３０の部分は励起光を吸収するので、画像データ９０上で、周囲の赤外線蛍光層２０よりも低輝度の部分として強いコントラストで現れる。
【００４３】
このような両部分の輝度差、及び、画像情報３０の輪郭の明確さにより、封緘物１ａを撮像した画像データ９０から、画像情報３０を読取ることが容易になる。また、赤外線蛍光層２０がバックライトとして機能し、画像データの全体が明るくなることも封筒４０で覆われた画像情報３０の読取に都合がよい。
なお、赤外線蛍光層２０から外れる部分では、基材１０が低輝度の部分として画像データ９０上に現れる。基材１０を反射した励起光はフィルタ５３でカットされるためである。
【００４４】
次に、読取装置６０において、封緘物１ａの画像情報４５をカメラ６１により撮像する。このようにして撮像を行った画像データに対し、情報処理装置７０にて画像処理を行い、画像情報４５を取得する。
【００４５】
その後、前記の画像情報３０と画像情報４５の照合を行う。ここでは、画像情報３０に記録された名称と、画像情報４５に記録された名称が対応するかを照合する。これらが対応しない場合、封緘物１ａに間違った封入物２１が封緘されていることになるので、この封緘物１ａを不良とする。
【００４６】
このように、本実施形態によれば、封緘物１ａに赤外線による励起光を照射すると、検査用媒体１１において、画像情報３０の部分は励起光を吸収する一方、赤外線蛍光層２０の蛍光体は励起光により励起され赤外線を発光する。従って、この赤外線量の差から、画像情報３０を容易に読取ることができる。一方、封緘物１ａの上面の画像情報４５を読取り、前記の画像情報３０と、画像情報４５の照合を行うことにより、封緘物１ａの封入物２１と送り先が一致するかの検査を行うことができる。
【００４７】
これらの情報はいずれも封緘物１ａ自身が有するものであるので、サーバ等に照合対象の情報を記録しておくなどの必要がなく、検査のための装置構成を簡素にできる。
また、封筒４０は分離可能であるので、必要に応じてこれを取り外して画像情報３０を視認することができ、読取エラーが生じた場合など、その確認等も容易に行える。
【００４８】
加えて、画像情報３０の読取時に赤外線カメラ等で赤外線の受光を行う際、励起に用いた赤外線をカットして赤外線蛍光層２０が発光した赤外線のみを受光することができ、読取の精度も向上する。さらに、画像情報３０の読取は非接触で行えるので、封緘物１ａに汚れや傷が生じたり、封緘物１ａが検査中に蛇行したり、読取装置が摩耗する等の問題もない。さらに、封緘物１ａの全体を撮像することが容易で、封緘物１ａや検査用媒体１１の位置ずれ等による読取りエラーを防ぐことができる利点もある。
【００４９】
ただし、本発明の印刷物は第１の実施形態で示したものに限ることはない。以下、本発明の印刷物の別の例について、第２〜第５の実施形態として説明する。以下の説明は、主に第１の実施形態と異なる点について行い、第１の実施形態と同様の構成については、図等に同じ符号を付すなどして説明を省略する。
【００５０】
［第２の実施形態］
図４は、本発明の第２の実施形態の印刷物である封緘物１ｂについて示す図である。図４（ａ）は、封緘物１ｂの断面構成を示す図である。図４（ｂ）は、第１の実施形態と同様にして検査用媒体１１ａの画像情報３０を赤外線で読み取った画像データ９０ａの例を示したものである。
【００５１】
図４（ａ）に示すように、封緘物１ｂは、検査用媒体１１ａが、基材１０上に画像情報３０を形成し、その上に赤外線蛍光層２０を形成したものである点で第１の実施形態の封緘物１ａと異なる。その他の点は第１の実施形態と同様であるので、説明を省略する。
【００５２】
図４（ｂ）に示すように、この検査用媒体１１ａを赤外線で読み取った場合でも、第１の実施形態と同様、赤外線蛍光層２０（下部に画像情報３０が形成された部分を除く）は高輝度の部分として現れるのに対し、画像情報３０の部分は、画像データ９０ａ上で、周囲の赤外線蛍光層２０よりも低輝度の部分として現れる。従って、封緘物１ｂを赤外線で撮像した画像データ９０ａから、画像情報３０を読み取ることが可能になる。
【００５３】
画像情報３０上に赤外線蛍光層２０が形成されているにも関わらず、画像情報３０の部分が画像データ９０ａ上で低輝度の部分として現れるのは、赤外線蛍光層２０を形成する蛍光材料に分散して含まれる蛍光体の量が、材料全体の半分弱程度であり、赤外線蛍光層２０の蛍光体以外の部分で下方の画像情報３０が画像上に現れ、この際、蛍光体から発光した赤外線が基材１０上で反射され赤外線カメラ５５に入射する画像情報３０以外の部分に対し、該赤外線が吸収される画像情報３０の部分が低輝度となるためである。さらに、画像情報３０上の赤外線蛍光層２０の膜厚は、画像情報３０が無い部分に比較すると薄いことも、画像情報３０の部分が低輝度の部分として現れるのに寄与する。
【００５４】
一方、画像情報４５は第１の実施形態と同様に読取ることができるので、これらの画像情報３０と画像情報４５の照合を行うことで、第１の実施形態と同様、封緘物１ｂの検査を容易に行うことができ、第２の実施形態でも第１の実施形態と同様の効果が得られる。
【００５５】
さらに、第２の実施形態では、予め印刷した画像情報３０のみを覆うように赤外線蛍光層２０を形成することが容易で、蛍光材料の消費量を簡単に抑えることができる利点がある。また、画像情報３０の印刷完了後の媒体上の必要な部分のみに、後から赤外線蛍光層２０を付与することができる利点もある。
一方、第１の実施形態では、赤外線蛍光層２０の上に画像情報３０を形成するので、封緘物１ａを読み取った画像データ９０上で、画像情報３０の輪郭部分でより高いコントラストが得られる利点がある。
【００５６】
［第３の実施形態］
図５は、本発明の第３の実施形態の印刷物であるくじ１ｃを示す図である。図５（ａ）は、くじ１ｃの断面構成を示す図である。図５（ｂ）は、くじ１ｃの上面を示したものである。
【００５７】
このくじ１ｃは、基材１０上に赤外線蛍光層２０を形成するとともにその上に画像情報３０を重ねて形成し、さらに、赤外線蛍光層２０と画像情報３０を覆うように赤外線透過・可視光反射／吸収層４１を形成し、この赤外線透過・可視光反射／吸収層４１に画像情報４５を記録したものである。
ここでは、画像情報４５をくじ番号を示すＯＣＲ用数字とし、画像情報３０をこれに対応する番号を示すバーコードとするが、これに限られることはない。
【００５８】
赤外線透過・可視光反射／吸収層４１は、赤外線を透過し可視光を反射もしくは吸収する層である。この赤外線透過・可視光反射／吸収層４１は、赤外線を透過し可視光を反射もしくは吸収する材料を含んでいればよく、種々の材料を使用することができる。例えば、Ｍ（マゼンダ）、Ｙ（イエロー）の顔料を分散させた橙色の層や、Ｃ（シアン）、Ｙの顔料を分散させた緑色の層とすることができる。この赤外線透過・可視光反射／吸収層４１は、印刷により形成することができる。
【００５９】
この場合でも、画像情報３０は赤外線透過・可視光反射／吸収層４１により不可視とされるが、第１の実施形態と同様に読取装置５０で赤外線により読み取ることができる。
一方、画像情報４５は第１の実施形態と同様に読取ることができ、画像情報４５と画像情報３０の照合を行うことで、くじ１ｃの真正性の検査を容易に行うことができる。画像情報３０は肉眼では不可視であるので、その偽造を防ぎ、セキュリティ性を高めることができる。くじについては真正性が強く求められるので、このようにしてセキュリティ性を高めることが特に有効である。
【００６０】
なお、くじはこれに限らず、図６（ａ）のくじ１ｄに示すように、赤外線透過・可視光反射／吸収層４１を紙材等で形成し、下面の剥離糊２５により基材１０等と分離可能に接着するようにしてもよい。この場合、必要に応じて赤外線透過・可視光反射／吸収層４１を取り外して画像情報３０を可視とし確認可能にできる。
【００６１】
また、図６（ｂ）のくじ１ｅに示すように、画像情報４５は、基材１０上で、赤外線透過・可視光反射／吸収層４１で覆われていない箇所に形成するようにしてもよい。これによっても前記と同様に、画像情報４５と画像情報３０の照合を行うことで、くじ１ｅの真正性の検査を容易に行うことができる。画像情報３０は肉眼では不可視であるので、その偽造を防ぎ、セキュリティ性を高めることができるという効果が得られる。
【００６２】
さらに、図６（ｃ）のくじ１ｆに示すように、くじ番号（不図示）等は別に印刷しておき、画像情報３０のみで真正性の検査をすることも可能である。例えば画像情報３０にくじ１ｆが真正であることを示す情報を記録しておけばよい。
なお、前記と同様に、赤外線透過・可視光反射／吸収層４１を分離可能にしておき、この画像情報３０を当たりや外れの情報を示すものとしておけば、当初は当たり外れが不可視であるが、赤外線透過・可視光反射／吸収層４１を分離することによりこれを視認可能なくじとすることもできる。
【００６３】
［第４の実施形態］
図７は、第４の実施形態の印刷物である光ディスク１ｇを示す図である。図７（ａ）は、光ディスク１ｇの断面構成を示す図である。図７（ｂ）は、光ディスク１ｇを上面から見た図である。
【００６４】
この光ディスク１ｇは、ＣＤやＤＶＤ等の記録面と逆側のレーベル面で、プラスチック製の基材１０上に、第３の実施形態と同様にして、赤外線蛍光層２０、画像情報３０、赤外線透過・可視光反射／吸収層４１、画像情報４５を形成したものである。
ここでは、画像情報４５をシリアル番号を示すＯＣＲ用数字とし、画像情報３０をこれに対応する番号を示すバーコードとするが、これに限られることはない。
【００６５】
この場合でも、前記と同様にして画像情報４５と画像情報３０の照合を行うことで、光ディスク１ｇの真正性の検査を容易に行うことができる。画像情報３０は不可視であるので偽造が防止されセキュリティ性が高まり、海賊版などを防ぐことができる。
【００６６】
［第５の実施形態］
図８は、第５の実施形態の印刷物である切符１ｈを示す図である。図８（ａ）は、切符１ｈの断面構成を示す図である。図８（ｂ）は、切符１ｈを上面から見た図である。
【００６７】
この切符１ｈは、基材１０上に、前記の第３の実施形態と同様にして、赤外線蛍光層２０、画像情報３０、赤外線透過・可視光反射／吸収層４１、画像情報４５を形成したものである。
第５の実施形態では、画像情報４５を発券駅を示すＯＣＲ用文字とし、画像情報３０をこれに対応する情報を示すバーコードとするが、これに限られることはない。
【００６８】
この場合でも、前記と同様に画像情報３０と画像情報４５による切符１ｈの検査を容易に行うことができる。画像情報３０は不可視であるので、その偽造等を防ぐことができ、セキュリティ性も高い。また、第５の実施形態の切符１ｈの構成は、各種のチケットなどにも適用できる。
【００６９】
なお、第４、５の実施形態においても、前記と同様、画像情報３０の上に赤外線蛍光層２０を形成したり、赤外線透過・可視光反射／吸収層４１を分離可能にしたり、画像情報４５を基材１０上の赤外線透過・可視光反射／吸収層４１で覆われていない箇所に設けたり、あるいは画像情報３０のみで検査を行うことも可能である。
【実施例】
【００７０】
次に、本発明の第１、第２の実施形態について検討を行った結果を実施例として説明する。なお、本発明はこれに限定されるものではない。
【００７１】
［実施例１］
＜赤外線蛍光材料＞
赤外線蛍光層２０を形成するための蛍光材料として、赤外線励起・赤外線発光顔料をスクリーンインキ化して用いた。
スクリーンインキの組成を以下に示す。
ＳＧ−ＹＳ（根本特殊化学社製）：２％
アクリル系樹脂：２８％
有機溶剤（ミネラルスピリット系）：６９％
補助材：１％
【００７２】
＜赤外線蛍光層２０の形成＞
基材１０としてＡ４判のＯＣＲ（Ｏｐｔｉｃａｌ  Ｃｈａｒａｃｔｅｒ  Ｒｅａｄｅｒ）用紙を用い、スクリーン印刷機により上記のスクリーンインキを塗布した。塗布面積は３ｃｍ×５ｃｍとし、スクリーンメッシュは、２５０メッシュを使用した。赤外線蛍光層２０の塗布後、４５℃の乾燥機で２０分間乾燥した。
【００７３】
＜画像情報３０の形成＞
電子写真方式のプリンタ、リコー社製ＩＰＳｉＯ  ＮＸ７６０で、カーボンブラックを含む黒色トナーを用いて、ＪＡＮコードをバーコードとして印刷した。バーコードは、一部が赤外線蛍光層２０の塗布面積内に入り、一部が赤外線蛍光層２０の塗布面積から外れるように印刷を行った。
【００７４】
＜封筒４０＞
実施例１では、中身が透けて見えない紙製の封筒４０（重量１００ｇ／ｍ２、厚さ約１５０μｍ）を用いて画像情報３０を覆った。また、この封筒の表面には、カーボンブラックを含まないインキにて模様が印刷されていた。基材１０は、画像情報３０の印刷面が封筒の直ぐ下となるように封入した。以上の構成を図９（ａ）に示す。なお、図９、および後述する図１０では、画像情報３０が赤外線蛍光層２０の塗布面積内に入る部分を３０ａで、画像情報３０が赤外線蛍光層２０の塗布面積から外れる部分を３０ｂで示している。
【００７５】
＜読取装置＞
赤外線照射装置５１として波長８２５ｎｍの赤外線を照射するものを用い、赤外線カメラ５５として、波長９８０ｎｍの赤外線を受光する赤外線受光センサを用い、封筒４０の表面上をスキャンした。センサにて受光した信号は、画像データとしてモニタ上に映した。なお、フィルタ５３としては、波長８２５ｎｍの赤外線をカットし、波長９８０ｎｍの赤外線を透過するものを用いた。
【００７６】
［実施例２］
封筒４０を使用する代わりに、一般的なクリーン紙４２で画像情報３０を覆い、前記と同様にして読取装置による読み取りを行った。この構成を図９（ｂ）に示す。
【００７７】
［実施例３］
実施例１では、赤外線蛍光層２０を下に形成し、画像情報３０を上に形成したが、実施例３では、画像情報３０を基材１０に先に形成し、その後、赤外線蛍光層２０を上に形成した。また、実施例２と同様クリーン紙４２で画像情報３０を覆い、前記と同様にして読取装置による読み取りを行った。その他は、実施例１と同様である。この構成を図９（ｃ）に示す。
【００７８】
図１０（ａ）〜（ｃ）は、以上の構成により、各実施例について画像情報３０の読み取りを行った結果を示す図であり、赤外線カメラ５５で撮像を行った画像データをモニタに表示したものである。図１０（ａ）は実施例１、図１０（ｂ）は実施例２、図１０（ｃ）は実施例３について示す画像データである。
【００７９】
各図に示すように、いずれの実施例においても、表面からは視認できないバーコード（画像情報３０）が、モニタ上に表示された。表示された画像は、バーコードが赤外線蛍光層２０の塗布面積内に入る部分３０ａでは、赤外線蛍光層２０が形成されている部分は白く、バーコード部分は黒く表示された。画像処理型のバーコードリーダーにて、表示された画像を読取ることにより、バーコードを読取ることができた。これにより、前記の画像情報４５を読み取った結果と併せて検査を実行可能であることがわかった。なお、バーコードが赤外線蛍光層２０の塗布面積から外れる部分３０ｂでは基材１０も黒く表示されていた。
【００８０】
以上、添付図面を参照しながら、本発明の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００８１】
１ａ、１ｂ：封緘物
１ｃ〜１ｆ：くじ
１ｇ：光ディスク
１ｈ：切符
１０：基材
２０：赤外線蛍光層
３０、４５：画像情報
４０：封筒
４１：赤外線透過・可視光反射／吸収層
５０、６０、８０：読取装置
７０：情報処理装置
【図１】
0005957977.tif 000002
【図２】
0005957977.tif 000003
【図５】
0005957977.tif 000004
【図６】
0005957977.tif 000005
【図７】
0005957977.tif 000006
【図８】
0005957977.tif 000007
【図９】
0005957977.tif 000008
【図３】
0005957977.tif 000009
【図４】
0005957977.tif 000010
【図１０】
0005957977.tif 000011